(57)【要約】【課題】容器に貼り付ける前に粘性流体を注入することが不要であるとともに、一定品質のガス抜き弁を製造可能なガス抜き弁の製造方法を提供する。【解決手段】ガス抜き弁１の製造方法は、台紙に貼着されている第１のフィルムに孔を開ける穿孔工程と、第１のフィルムの表面に孔を通る直線状に粘性流体を塗布する塗布工程と、第１のフィルムの表面に第２のフィルムを積層し、第１のフィルムと第２のフィルムとを粘性流体を挟む部位にて接着する接着工程と、を備える。【選択図】図６
2018177231.tif 000002
【特許請求の範囲】
【請求項１】
台紙に貼着されている第１のフィルムに孔を開ける穿孔工程と、
前記第１のフィルムの表面に前記孔を通る直線状に粘性流体を塗布する塗布工程と、
前記第１のフィルムの表面に第２のフィルムを積層し、前記第１のフィルムと前記第２のフィルムとを前記粘性流体を挟む部位にて接着する接着工程と、を備える、
ことを特徴とするガス抜き弁の製造方法。
【請求項２】
帯状の前記第１のフィルムを用い、
前記穿孔工程では、前記第１のフィルムの長手方向に沿って、前記第１のフィルムに直線状に複数の前記孔を開け、
前記塗布工程では、複数の前記孔を結ぶ直線状に前記粘性流体を塗布する、
ことを特徴とする請求項１に記載のガス抜き弁の製造方法。
【請求項３】
前記接着工程の後、前記第１のフィルム及び前記第２のフィルムに前記ガス抜き弁の外形となる閉ループの切り込みを入れる切り込み工程を備える、
ことを特徴とする請求項１又は２に記載のガス抜き弁の製造方法。
【請求項４】
前記切り込み工程の後、前記第１のフィルム及び前記第２のフィルムの前記閉ループで囲われた箇所を残して前記台紙から剥離する剥離工程と、を備える、
ことを特徴とする請求項３に記載のガス抜き弁の製造方法。
【発明の詳細な説明】
【技術分野】
【０００１】
本発明は、ガス抜き弁の製造方法に関する。
【背景技術】
【０００２】
コーヒーや味噌、漬け物、発酵食品などは、食品の鮮度を保つべく、包装袋などの容器に密封され保存されている。このような食品からはガスが発生するため、ガスを排出すべく容器にはガス抜き用孔が開けられ、ここにガス抜き用の弁が設置される。ガス抜き用の弁として、容器に簡易に貼り付けて使用可能なラベル状のガス抜き弁１がある（例えば、特許文献１、２）。
【０００３】
ガス抜き弁１は、通気孔を有するベースフィルムの上に、カバーフィルムが積層された構造をしている。ベースフィルムとカバーフィルムには通気孔を挟むようにして接着された接着部位、接着されていない非接着部位があり、非接着部位がガス排出流路として機能する。非接着部位では、通常時、ベースフィルムとカバーフィルムとが密着しているが、容器内で発生したガスにより容器内が所定圧力を超えると、非接着部位のカバーフィルムがベースフィルムから離間してガス排出流路が形成され、ガス抜き用孔、通気孔からガス排出流路を通じて、容器内のガスを排出する仕組みである。
【０００４】
ガス抜き弁は、容器内の圧力が所定圧力を下回っている状態では、非接着部位におけるベースフィルムとカバーフィルムとが密着し、外部から容器内へのガス（空気）の流入を抑制する機能も要求される。このため、ベースフィルムとカバーフィルムとが密着するよう、通気孔からインジェクター等でシリコーンオイル等の粘性流体を注入し、ベースフィルムとカバーフィルムとの間に粘性流体の膜を形成させた後、ガス抜き弁を容器に貼り付けている。
【先行技術文献】
【特許文献】
【０００５】
【特許文献１】特開平７−２９１３０６号公報
【特許文献２】特開２００６−６２２７７号公報
【発明の概要】
【発明が解決しようとする課題】
【０００６】
これまでは容器に貼り付ける前にベースフィルムとカバーフィルムとの間に粘性流体を注入していることから、貼り付ける前の作業が繁雑になってしまう。また、通気孔から粘性流体を注入していることから、ベースフィルムとカバーフィルムとの間に均質な粘性流体の膜を形成させることが難しく、一定の品質を担保することが困難であった。
【０００７】
本発明は上記事項に鑑みてなされたものであり、その目的は、容器に貼り付ける前に粘性流体を注入することが不要であるとともに、一定品質のガス抜き弁を製造可能なガス抜き弁の製造方法を提供することにある。
【課題を解決するための手段】
【０００８】
本発明に係るガス抜き弁の製造方法は、
台紙に貼着されている第１のフィルムに孔を開ける穿孔工程と、
前記第１のフィルムの表面に前記孔を通る直線状に粘性流体を塗布する塗布工程と、
前記第１のフィルムの表面に第２のフィルムを積層し、前記第１のフィルムと前記第２のフィルムとを前記粘性流体を挟む部位にて接着する接着工程と、を備える、
ことを特徴とする。
【０００９】
また、帯状の前記第１のフィルムを用い、
前記穿孔工程では、前記第１のフィルムの長手方向に沿って、前記第１のフィルムに直線状に複数の前記孔を開け、
前記塗布工程では、複数の前記孔を結ぶ直線状に前記粘性流体を塗布することが好ましい。
【００１０】
また、前記接着工程の後、前記第１のフィルム及び前記第２のフィルムに前記ガス抜き弁の外形となる閉ループの切り込みを入れる切り込み工程を備えることが好ましい。
【００１１】
また、前記切り込み工程の後、前記第１のフィルム及び前記第２のフィルムの前記閉ループで囲われた箇所を残して前記台紙から剥離する剥離工程と、を備えることが好ましい。
【発明の効果】
【００１２】
本発明に係るガス抜き弁の製造方法では、容器に貼り付ける前に粘性流体を注入することが不要であり、均質なガス抜き弁を製造することが可能である。
【図面の簡単な説明】
【００１３】
【図１】図１（Ａ）はガス抜き弁の製造状況を示す平面図、図１（Ｂ）は図１（Ａ）のＡ−Ａ’断面図である。
【図２】図２（Ａ）はガス抜き弁の製造状況を示す平面図、図２（Ｂ）は図２（Ａ）のＡ−Ａ’断面図、図２（Ｃ）は図２（Ａ）のＢ−Ｂ’断面図である。
【図３】粘性流体を塗布している様子を示す斜視図である。
【図４】図４（Ａ）はガス抜き弁の製造状況を示す平面図、図４（Ｂ）は図４（Ａ）のＡ−Ａ’断面図、図４（Ｃ）は図４（Ａ）のＢ−Ｂ’断面図である。
【図５】図５（Ａ）はガス抜き弁の製造状況を示す平面図、図５（Ｂ）は図５（Ａ）のＡ−Ａ’断面図、図５（Ｃ）は図５（Ａ）のＢ−Ｂ’断面図である。
【図６】図６（Ａ）は製造されたガス抜き弁の平面図、図６（Ｂ）は図６（Ａ）のＡ−Ａ’断面図、図６（Ｃ）は図６（Ａ）のＢ−Ｂ’断面図である。
【図７】ガス抜き弁の構造を示す分解斜視図である。
【図８】ガス抜き弁の使用状態を示す斜視図である。
【発明を実施するための形態】
【００１４】
図を参照しつつ、本実施の形態に係るガス抜き弁の製造方法について説明する。ガス抜き弁の製造方法は、穿孔工程、塗布工程、接着工程、切り込み工程、剥離工程を備える。
【００１５】
まず、図１（Ａ）、（Ｂ）に示すように、台紙Ｓｅに貼着された第１のフィルムＦ１を用意する。第１のフィルムＦ１は、ガス抜き弁のベースフィルムとなるフィルムである。第１のフィルムＦ１の裏面には、容器に貼り付けられるよう粘着剤層を備えている。ここでは、第１のフィルムＦ１として、ロール状に巻き回された帯状の長尺な第１のフィルムＦ１を用い、複数のガス抜き弁を製造する例について説明する。
【００１６】
まず、穿孔工程では、図２（Ａ）〜（Ｃ）に示すように、第１のフィルムＦ１に、通気孔となる所定形状の孔Ｈａを開ける。孔Ｈａは、例えば、所定形状のポンチ等を用い、台紙Ｓｅごとくり抜いて第１のフィルムＦ１に孔Ｈａをあければよい。この孔Ｈａがガス抜き弁の通気孔となる。
【００１７】
帯状の第１のフィルムＦ１の長手方向に連続し、所定間隔おきに、複数の孔Ｈａを直線状に形成するとよい。また、帯状の第１のフィルムＦ１の短手方向に連続して複数の孔Ｈａをあけてもよい。ここでは、帯状の第１のフィルムＦ１の短手方向に３つの孔Ｈａをあけているが、それより多く形成しても少なくてもよい。
【００１８】
続いて塗布工程について説明する。塗布工程では、第１のフィルムＦ１の上に粘性流体を塗布する。粘性流体は、孔Ｈａを通る直線状に塗布する。これにより、第１のフィルムＦ１の表面に粘性流体の膜が形成される。
【００１９】
粘性流体の塗布は、例えば、図３に示すようにして行うことができる。ここでは、塗布部３１を備える塗布ローラー３０を用いて、粘性流体を塗布している。塗布ローラー３０は、外周面を周回する塗布部３１を有している。塗布部３１は、表面に粘性流体を保持し、第１のフィルムＦ１に塗布可能であればどのような構成であってもよく、例えば、塗布部３１がスポンジ等の多孔質部材からの粘性流体を含浸する構成が挙げられる。この塗布ローラー３０の塗布部３１が第１のフィルムＦ１に接触した状態で、塗布ローラー３０を回転させる。これにより、図３に示すように、第１のフィルムＦ１の表面であり、孔Ｈａを通る直線状に粘性流体を連続的に塗布することができる。
【００２０】
なお、粘性流体の塗布部３１への供給、第１のフィルムＦ１への塗布の形態は、塗布部３１の表面に粘性流体を付着させて、第１のフィルムＦ１に粘性流体を転写する形態が挙げられる。また、内部に粘性流体を保持可能な塗布ローラー３０であって、塗布ローラー３０内部から塗布部３１へ供給可能なものを用い、塗布部３１から粘性流体を排出して塗布する形態などが挙げられる。
【００２１】
用いる粘性流体は、例えば、シリコーンオイルなど、第１のフィルムＦ１に塗布可能であるとともに、ベースフィルムとカバーフィルムとの密着性を担保できればいずれを用いてもよい。
【００２２】
続いて、接着工程について説明する。接着工程では、図４（Ａ）〜（Ｃ）に示すように、第１のフィルムＦ１の上に、第２のフィルムＦ２を積層し、第１のフィルムＦ１と第２のフィルムＦ２とを接着する。第２のフィルムＦ２は、ガス抜き弁のカバーフィルムとなるフィルムである。第２のフィルムＦ２も、第１のフィルムＦ１と同様に帯状のフィルムを用いる。
【００２３】
第１のフィルムＦ１と第２のフィルムＦ２との接着部位は、粘性流体が塗布されていない箇所である。即ち、接着部位は孔Ｈａ及び粘性流体の膜を挟む部位である。第１のフィルムＦ１と第２のフィルムＦ２との接着は、公知の接着剤や粘着剤を用いて接着すればよい。また、予め接着部位に粘着剤層を有する第２のフィルムＦ２を用い、これを第１のフィルムＦ１の上に積層、接着してもよい。或いは、第２のフィルムＦ２を積層する際に、第１のフィルムＦ１の表面或いは第２のフィルムＦ２の裏面に接着剤等を塗布し、第１のフィルムＦ１に第２のフィルムＦ２を積層、接着してもよい。また、接着剤や粘着剤を用いた接着のほか、超音波溶着など、第１のフィルムＦ１と第２のフィルムＦ２を接着可能な手法により接着してもよい。
【００２４】
続いて、切り込み工程について説明する。図５（Ａ）〜（Ｃ）に示すように、第１のフィルムＦ１及び第２のフィルムＦ２に閉ループの切り込みを入れる。この閉ループの形状がガス抜き弁の外形となる。閉ループの切り込みは公知の手法で行えばよく、例えば、表面に閉ループの刃が突出したカッティングロールを用い、第１のフィルムＦ１及び第２のフィルムＦ２にカッティングロールを押し付けながら回転させることで、第１のフィルムＦ１及び第２のフィルムＦ２に切り込みを入れることができる。
【００２５】
続いて、剥離工程について説明する。剥離工程では、第１のフィルムＦ１及び第２のフィルムＦ２の不要部分、即ち、閉ループで囲われていない部分を台紙Ｓｅから剥離する。
【００２６】
以上のようにして、図６（Ａ）〜（Ｃ）、図７に示すように、通気孔Ｈｂを有するベースフィルム１０の上にカバーフィルム２０が積層、接着され、台紙Ｓｅに貼着した状態のガス抜き弁１を製造することができる。
【００２７】
ガス抜き弁１はラベル状であり、ベースフィルム１０の裏面に粘着剤層を備えているので、台紙Ｓｅから一枚ずつ取って、図８に示すように、容器Ｐａのガス抜き用孔Ｈｃとガス抜き弁１の通気孔Ｈｂの位置を合わせ、ガス抜き用孔Ｈｃを塞ぐようにして貼り付けて使用される。
【００２８】
図７に示すように、ガス抜き弁１は、通気孔Ｈｂを有するベースフィルム１０の上に、カバーフィルム２０が積層された構造をしており、ベースフィルム１０とカバーフィルム２０とが通気孔Ｈｂを挟むように接着された接着部位Ｂｏ、接着部位Ｂｏ同士に挟まれた非接着部位Ｎｂを有している。非接着部位Ｎｂにおいては、ベースフィルム１０とカバーフィルム２０との間に粘性流体の膜を有している。
【００２９】
非接着部位Ｎｂでは、ベースフィルム１０とカバーフィルム２０とが密着しているが、容器Ｐａ内で発生したガスにより容器Ｐａ内が所定圧力を超えると、非接着部位Ｎｂのカバーフィルム２０がベースフィルム１０から離間してガス排出流路が形成され、ガス抜き用孔Ｈｃ、通気孔Ｈｂからガス排出流路を通じて、容器Ｐａ内のガスを排出する機能を発揮する。そして、容器Ｐａ内の圧力が所定圧力を下回っている状態では、非接着部位Ｎｂにおけるベースフィルム１０とカバーフィルム２０とが粘性流体の膜を介して密着し、外部から容器Ｐａ内へのガスの流入を抑制する機能を発揮する。
【００３０】
本実施の形態に係るガス抜き弁の製造方法によって製造されたガス抜き弁１は、ベースフィルム１０とカバーフィルム２０の間に粘性流体の膜を備えているので、従来のように、容器Ｐａに貼り付ける前に通気孔Ｈｂから粘性流体を注入する作業が不要である。
【００３１】
また、第２のフィルムＦ２を接着する前に、第１のフィルムＦ１の表面に粘性流体を塗布しているので、粘性流体の膜厚をほぼ一定にすることができる。このため、得られるガス抜き弁１の一定の品質が担保される。
【００３２】
なお、第１のフィルムＦ１及び第２のフィルムＦ２として、例えば、ポリエチレン、ポリプロピレン等の樹脂製のフィルムが挙げられるが、ガス抜き弁としての機能を発揮する素材であれば、どのような素材から構成されていてもよい。
【００３３】
また、上記では帯状の第１のフィルムＦ１及び第２のフィルムＦ２を用いた例について説明したが、これに限定されず、矩形等のシート状の第１のフィルムＦ１及び第２のフィルムＦ２を用いてもよい。
【００３４】
また、複数のガス抜き弁を連続して製造する方法について説明したが、１つずつ製造しても構わない。例えば、事前にガス抜き弁の外形に合わせた第１のフィルムＦ１及び第２のフィルムＦ２を用い、第１のフィルムに孔Ｈａを開けて、孔を通る直線状に粘性流体を塗布し、次いで、第２のフィルムＦ２を第１のフィルムＦ１に積層、接着して製造する形態であってもよい。この場合、切り込み工程、剥離工程は不要となる。
【００３５】
また、穿孔工程では、台紙Ｓｅごとくり抜かず、第１のフィルムＦ１に切り込みを入れ、その箇所の第１のフィルムＦ１を台紙Ｓｅから剥離するようにして孔Ｈａを形成してもよい。
【００３６】
また、穿孔工程では、角丸の矩形状の孔をあけているが、孔の形状は、円形状、楕円形状、多角形状等であってもよい。
【００３７】
また、切り込み工程では、角丸の矩形状の閉ループの切り込みを入れているが、切り込みは円形状、楕円形状、多角形状など製造しようとする所望のガス抜き弁の形状とすることができる。
【符号の説明】
【００３８】
１    ガス抜き弁
１０    ベースフィルム
２０    カバーフィルム
３０    塗布ローラー
３１    塗布部
Ｆ１    第１のフィルム
Ｆ２    第２のフィルム
Ｓｅ    台紙
Ｈａ    孔
Ｈｂ    通気孔
Ｈｃ    ガス抜き用孔
Ｂｏ    接着部位
Ｎｂ    非接着部位
Ｐａ    容器
【図１】
2018177231.tif 000003
【図２】
2018177231.tif 000004
【図３】
2018177231.tif 000005
【図４】
2018177231.tif 000006
【図５】
2018177231.tif 000007
【図６】
2018177231.tif 000008
【図７】
2018177231.tif 000009
【図８】
2018177231.tif 000010
【手続補正書】
【提出日】平成29年7月11日(2017.7.11)
【手続補正１】
【補正対象書類名】特許請求の範囲
【補正対象項目名】全文
【補正方法】変更
【補正の内容】
【特許請求の範囲】
【請求項１】
台紙に貼着されている第１のフィルムに孔を開ける穿孔工程と、
前記第１のフィルムの表面に前記孔を通る直線状にシリコーンオイルを塗布する塗布工程と、
前記第１のフィルムの表面に第２のフィルムを積層し、前記第１のフィルムと前記第２のフィルムとを前記シリコーンオイルを挟む部位にて接着する接着工程と、を備える、
ことを特徴とするガス抜き弁の製造方法。
【請求項２】
帯状の前記第１のフィルムを用い、
前記穿孔工程では、前記第１のフィルムの長手方向に沿って、前記第１のフィルムに直線状に複数の前記孔を開け、
前記塗布工程では、複数の前記孔を結ぶ直線状に前記シリコーンオイルを塗布する、
ことを特徴とする請求項１に記載のガス抜き弁の製造方法。
【請求項３】
前記接着工程の後、前記第１のフィルム及び前記第２のフィルムに前記ガス抜き弁の外形となる閉ループの切り込みを入れる切り込み工程を備える、
ことを特徴とする請求項１又は２に記載のガス抜き弁の製造方法。
【請求項４】
前記切り込み工程の後、前記第１のフィルム及び前記第２のフィルムの前記閉ループで囲われた箇所を残して前記台紙から剥離する剥離工程と、を備える、
ことを特徴とする請求項３に記載のガス抜き弁の製造方法。
【手続補正２】
【補正対象書類名】明細書
【補正対象項目名】０００８
【補正方法】変更
【補正の内容】
【０００８】
本発明に係るガス抜き弁の製造方法は、
台紙に貼着されている第１のフィルムに孔を開ける穿孔工程と、
前記第１のフィルムの表面に前記孔を通る直線状にシリコーンオイルを塗布する塗布工程と、
前記第１のフィルムの表面に第２のフィルムを積層し、前記第１のフィルムと前記第２のフィルムとを前記シリコーンオイルを挟む部位にて接着する接着工程と、を備える、
ことを特徴とする。
【手続補正３】
【補正対象書類名】明細書
【補正対象項目名】０００９
【補正方法】変更
【補正の内容】
【０００９】
また、帯状の前記第１のフィルムを用い、
前記穿孔工程では、前記第１のフィルムの長手方向に沿って、前記第１のフィルムに直線状に複数の前記孔を開け、
前記塗布工程では、複数の前記孔を結ぶ直線状に前記シリコーンオイルを塗布することが好ましい。